(57)【要約】【課題】容易に施工できるとともにパネルの上端を確実に固定できるパネル取付構造を提供する。【解決手段】建物の壁面１１に沿って取り付けられるパネル２の上端を固定するパネル取付構造１であって、前記パネルの上端にパネル取付具３が取り付けられ、前記パネルの上端に対向する前記建物の天井１０側には、前記パネルの上端側に開口した開口部４０と該開口部を挟んで対向して設けられた両壁部４２，４２を備えたブラケット４が取り付けられており、前記パネル取付具は、前記両壁部の内面４２ａ，４２ａ側に圧接した状態で固定される先側部３０を有していることを特徴とする。【選択図】図１
2012202021.tif 000002
【特許請求の範囲】
【請求項１】
建物の壁面に沿って取り付けられるパネルの上端を固定するパネル取付構造であって、
前記パネルの上端にパネル取付具が取り付けられ、
前記パネルの上端に対向する前記建物の天井側には、前記パネルの上端側に開口した開口部と該開口部を挟んで対向して設けられた両壁部を備えたブラケットが取り付けられており、
前記パネル取付具は、前記両壁部の内面側に圧接した状態で固定される先側部を有していることを特徴とするパネル取付構造。
【請求項２】
請求項１において、
前記先側部は、前記パネル取付具の上端に設けられ、
該先側部から前記両壁部間方向に対して直交方向、かつ前記パネル取付具の下側方向に延出して前記先側部を二股に分けるスリット部を有しており、
該スリット部にロックピンを挿入することにより、前記スリット部が押し広げられ、前記先側部が前記両壁部の内面側に圧接した状態で固定されることを特徴とするパネル取付構造。
【請求項３】
請求項１において、
前記先側部は、縦軸周りに回転自在に構成されたロック部材の上端に設けられるとともに、前記ブラケットの前記両壁部の内側面に圧接されるように鍔状に形成された係止部を有しており、
前記先側部を前記開口部に通じさせた後、前記ロック部材を回転させることにより、前記係止部が前記両壁部の内面側に圧接した状態で嵌合し固定されることを特徴とするパネル取付構造。
【発明の詳細な説明】
【技術分野】
【０００１】
本発明は、建物の壁面に沿って取り付けられるパネルの上端を固定するパネル取付構造に関する。
【背景技術】
【０００２】
従来より、パネルを壁面に取り付けるパネル取付構造は種々提案されている。
下記特許文献１及び２は、いずれも間仕切壁の組立方法ではあるが、以下のような固定構造が開示されている。
特許文献１には、天井部に天レールを取り付け、天レールに下地枠を取り付けた下地枠に壁パネルを取り付ける構造が開示されている。この下地枠は、天レールに挟持される複数の支柱と、それら隣接する支柱の上端にまたがって取り付けられ、かつ天レールに係止される支柱連結部材と、支柱連結部材に取り付けられたパネル係止部材とから構成されている。よって、壁パネルの背面に取り付けられた被係止具がパネル係止部材に係止されることにより、壁パネルの上端を係止している。
また特許文献２には、対向する一対の挟持部を有する上部支持具を天井に固定し、上部支持具内にパネルの上端を挿入し、挟持部とパネルとの間にそれぞれ差込部材を差し込むことでパネルを固定する構造が記載されている。
【先行技術文献】
【特許文献】
【０００３】
【特許文献１】特開平９−６０１６４号公報
【特許文献２】特開２００６−９２６８号公報
【発明の概要】
【発明が解決しようとする課題】
【０００４】
しかしながら、上記特許文献１に記載されているような取付構造の場合は、例えば背が高く大きいパネルの場合、被係止具をパネル係止部材に引っ掛けることが難しくなることが考えられる。またこの構造の場合、係止部材に引っ掛けるためのクリアランスを確保する必要があるため、やはり天井近くまで高さ寸法のあるパネルの取付構造として採用することが難しい。
また上記特許文献２に記載されているような取付構造の場合は、差込部材の一部がパネルの前面側からみえてしまうので、見栄えがいいとはいえない。
【０００５】
本発明は、上記実情に鑑みてなされたものであり、容易に施工できるとともにパネルの上端を確実に固定できるパネル取付構造を提供することを目的としている。
【課題を解決するための手段】
【０００６】
上記目的を達成するために、本発明に係るパネル取付構造は、建物の壁面に沿って取り付けられるパネルの上端を固定するパネル取付構造であって、前記パネルの上端にパネル取付具が取り付けられ、前記パネルの上端に対向する前記建物の天井側には、前記パネルの上端側に開口した開口部と該開口部を挟んで対向して設けられた両壁部を備えたブラケットが取り付けられており、前記パネル取付具は、前記両壁部の内面側に圧接した状態で固定される先側部を有していることを特徴とする。
【０００７】
また本発明において、前記先側部は、前記パネル取付具の上端に設けられ、該先側部から前記両壁部間方向に対して直交方向、かつ前記パネル取付具の下側方向に延出して前記先側部を二股に分けるスリット部を有しており、該スリット部にロックピンを挿入することにより、前記スリット部が押し広げられ、前記先側部が前記両壁部の内面側に圧接した状態で固定されるようにしてもよい。
さらに本発明において、前記先側部は、縦軸周りに回転自在に構成されたロック部材の上端に設けられるとともに、前記ブラケットの前記両壁部の内側面に圧接されるように鍔状に形成された係止部を有しており、前記先側部を前記開口部に通じさせた後、前記ロック部材を回転させることにより、前記係止部が前記両壁部の内面側に圧接した状態で嵌合し固定されるようにしてもよい。
【発明の効果】
【０００８】
本発明に係るパネル取付構造は、上述の構成としているので、容易に施工できるとともにパネルの上端を確実に固定できる。
【図面の簡単な説明】
【０００９】
【図１】（ａ）は本発明の一実施形態に係るパネル取付構造を説明するための模式的側面図であり、（ｂ）は同パネル取付構造に用いられるパネル取付具の模式的斜視図である。いずれもパネルの上端が固定される前の状態を示している。
【図２】（ａ）は同パネル取付構造を説明するための模式的側面図であり、（ｂ）は同パネル取付構造に用いられるパネル取付具の模式的斜視図である。いずれもパネルの上端が固定される過程の状態を示している。
【図３】（ａ）は同パネル取付構造を説明するための模式的側面図であり、（ｂ）は同パネル取付構造に用いられるパネル取付具の模式的斜視図である。いずれもパネルの上端が固定された状態を示している。
【図４】同パネル取付構造に用いられるパネル取付具の模式的分解斜視図である。
【図５】（ａ）は本発明の他の実施形態に係るパネル取付構造を説明するための模式的側面図であり、（ｂ）は同パネル取付構造に用いられるパネル取付具の模式的斜視図である。いずれもパネルの上端が固定される前の状態を示している。
【図６】（ａ）は同パネル取付構造を説明するための模式的側面図であり、（ｂ）は同パネル取付構造に用いられるパネル取付具の模式的斜視図である。いずれもパネルの上端が固定される過程の状態を示している。
【図７】（ａ）は同パネル取付構造を説明するための模式的側面図であり、（ｂ）は同パネル取付構造に用いられるパネル取付具の模式的斜視図である。いずれもパネルの上端が固定された状態を示している。
【図８】同パネル取付構造に用いられるパネル取付具の模式的分解斜視図である。
【図９】（ａ）〜（ｃ）は、同パネル取付構造に用いられるパネル取付具のロック部材の平面図であり、ブラケットとの固定関係を説明するための図である。
【発明を実施するための形態】
【００１０】
以下に本発明の実施の形態について、図面に基づいて説明する。
まず図１〜図４を参照しながら、第１実施形態に係るパネル取付構造の一例について説明する。
なお、図では、パネル取付具３の動作状態をわかりやすくするため、パネル２への固定部材の図示を省略している。
本実施形態に係るパネル取付構造１は、建物の壁面１１に沿って取り付けられるパネル２の上端を固定するパネル取付構造１であって、パネル２の上端にパネル取付具３が取り付けられ、これにより、取り付け固定がなされる。パネル２の上端に対向する建物の天井１０側には、パネル２の上端側に開口した開口部４０と開口部４０を挟んで対向して設けられた両壁部４２，４２を備えたブラケット４が取り付けられている。そしてパネル取付具３は、両壁部４２，４２の内面４２ａ，４２ａ側に圧接した状態で固定される先側部３０を有している。
以下、詳しく説明する。
【００１１】
パネル２は、壁面１１に沿って床面（不図示）略鉛直に立てて設置され、縦長の薄型矩形状に形成されている。パネル２が取り付けられる壁面１１は、図例のように平坦面とされた壁面に取り付けられるようにしてもよいし、壁面１１に前面開口の凹所（不図示）を形成し、この凹所内に所定の間隔を空けて固定柱を複数設け、その固定柱に固定されるようにしてもよい。この場合、パネル２の上端を取り付け固定するためのブラケット４は、凹所の上面側が天井１０となる。
パネル２の構成は、特に限定されるものではなく、化粧パネルや調湿機能、脱臭機能等を有した機能パネル、略天井近くまで高さ寸法があるような大型パネルの取付構造とすることができる。
パネル２の上端以外の部位の壁面１１への固定構造については、ここでは詳しく説明しないが、例えばパネル２の背面に、被係止具を適宜間隔を空けて複数取り付け、壁面１１に適宜設けられた係止具に係止されて固定するようにしてもよい。
【００１２】
パネル２の上端背面側には、パネル２の上端をブラケット４に固定するためのパネル取付具３が固定部材（不図示）によって固着されている。
パネル取付具３は、ケーシング５と、スライドトリガ６と、スライダ７と、ロックピン８とを備えている。
ケーシング５は、略直方体形状に形成されたケーシング本体５０と、スライドトリガ６の回転軸となる軸部５１と、スライドトリガ６が受ける押圧力に抗した力を作用されるバネ材６１（図例はトーションバネ)が巻き付けられるバネ軸部５２とを備えている。さらにケーシング５は、スライドトリガ６の回動を規制する規制壁部５３と、スライダ本体７０及びスライダ本体７０に内蔵される付勢部材７３（図例は圧縮バネ）が納められるスライダ収容部５４とを備えている。さらにケーシング５は、保持壁部５５を備えている。
保持壁部５５は、フック部６０と引掛部７２との係止状態が解除された際に、被保持部６０ｄが当接しスライドトリガ６をその状態（係止状態が解除された状態：図２（ａ）及び（ｂ）など参照）で保持するように形成されている。すなわち、壁面１１によって当接部６０ｃが押圧され、時計回り方向にスライドトリガ６が回転すると、被保持部６０ｄが保持壁部５５に当接してそれ以上の回転が阻止される。スライドトリガ６には、この押圧力に対してバネ材６１によって反時計回りに回ろうとする力が働くが、当接部６０ｃが壁面１１に当接しているため、スライドトリガ６の動きが規制され、係止状態が解除された状態で保持される。
軸部５１とバネ軸部５２とは、ケーシング本体５０の側面から外方（パネル２に取り付けられた状態における横方向）に突出して設けられている。規制壁部５３は、スライドトリガ６が適切に回動するようにスライドトリガ６の回動方向と略直交する方向に突出するように形成されている。
【００１３】
スライドトリガ６は、薄肉の板片からなるスライドトリガ本体６０と、スライダ７に形成された引掛部７２に係止される鉤状のフック部６０ｂと、パネル２を取り付ける際に壁面１１に押し当てられる当接部６０ｃとを備えている。またスライドトリガ６は、スライドトリガ６の回転軸となる上述の軸部５１が挿通される貫通孔６０ａと、上述のバネ材６１とを備えている。さらに、スライドトリガ６は、上述の保持壁部５５に保持される被保持部６０ｄを備えている。
フック部６０ｂは、引掛部７２に係止される係止部６０ｂａと、先側に向けて漸次先細の傾斜形状とされた傾斜部６０ｂｂと有している。当接部６０ｃは、壁面１１に押し当てられることにより、押圧力が付与されるように、図１（ａ）に示すようにブラケット４に固定される前の状態では、ケーシング本体５０よりも壁面１１側に突出する位置で保持されるように形成されている。
【００１４】
スライドトリガ６は、軸部５１を回転軸として回転自在に構成され、その回動は、規制壁部５３と、バネ材６１によって規制されている。
具体的には、スライドトリガ６は軸部５１を回転軸として、バネ材６１によって常にフック部６０ｂ側がパネル２の背面側へ向かう力が作用するように構成され、図例の場合、バネ材６１はスライドトリガ６を反時計回り方向に付勢している。よって、フック部６０ｂは、ブラケット４に固定される前の状態では、引掛部７２に係止部６０ｂａが係止された状態で保持されている（図１（ａ）及び（ｂ）参照）。このとき、当接部６０ｃ側は、スライドトリガ６が回転しすぎないように規制壁部５３によって回動が規制される。
このスライドトリガ６の当接部６０ｃに、押圧力が付与されると、スライドトリガ６は、軸部５１を回転軸として、当接部６０ｃ側がパネル２の背面側へ向かうようにその押圧力が作用する。すると、引掛部７２とフック部６０ｂとの係止状態が解除され（図２（ａ）及び（ｂ）参照）、スライドトリガ６が時計回り方向へ回転し、その状態で保持壁部５５に被保持部６０ｄが保持される。そして係止されていたスライダ７が後記する付勢部材７３が作用して上方へ突出する
【００１５】
スライダ７は、ケーシング本体５０の収容部５４内に納めるように略直方体形状に形成されたスライダ本体７０と、スリット部７１と、引掛部７２と、付勢部材７３とを備えている。スライダ本体７０には、その下面から上方向に向かって形成された円筒状の穴部７０ａが形成されており、この穴部７０ａ内に付勢部材７３が内蔵される。
付勢部材７３は、その一端が、穴部７０ａの天面部７０ａａに固着されるとともにその他端が、ケーシング本体５０の底面部５０ａ（いずれも図４参照）に固着されている。これにより、付勢部材７３はスライダ本体７０内で上下方向に圧縮或いは延伸されるように内蔵され、引掛部７２とフック部６０ｂとの係止状態をトリガとしてスライダ７を上下動自在とすることができる。すなわち、引掛部７２とフック部６０ｂとが係止状態のときは、付勢部材７３は圧縮された状態で穴部７０ａに内蔵される。一方、引掛部７２とフック部６０ｂとが係止状態が解除されたときには、付勢部材７３の圧縮状態も解除され、スライダ本体７０が突出する。
【００１６】
スライダ７の上方には、ケーシング本体５０から常時突出した状態に形成されるとともに、両壁部４２，４２の内面４２ａ，４２ａ側に圧接した状態で固定するための先側部３０が設けられている。
先側部３０は、略直方体形状からなり、パネル取付具３の上端に設けられ、先側部３０から対向する両壁部４２，４２間方向に対して直交する方向、かつパネル取付具３の下側方向に延出して先側部３０を二股に分けるスリット部７１を有している。
そしてこのスリット部７１で二股に分けられた先側部３０は、対向する一対の立壁部７１ｃ，７１ｃと、立壁部７１ｃの上端には、外向きに屈曲した状態に形成された鍔状部７１ｂ，７１ｂとを有している。また一対の立壁部７１ｃ，７１ｃの内面側には、略円錐台形状のロックピン８が挿通できるように略円錐台形状に形成された嵌合部７１ａが形成されている（図４等参照）。
これにより、ロックピン８をスリット部の嵌合部７１ａに挿通すると、立壁部７１ｃ，７１ｃが撓んで一対の立壁部７１ｃ，７１ｃ間が押し広げられる（図３（ａ）及び（ｂ）のｄ４矢印参照）。
【００１７】
ロックピン８は、上述のように円錐台形状からなり、図中、径が小さい側を挿入部８ａ、径が大きい側を押圧部８ｂとして示している（図４参照）。ロックピン８の形状は円錐台に限定されず、例えば略円錐状としてもよいし、円筒状であってもよい。
【００１８】
以上では、パネル２を壁面１１に押し当てることで、当接部６０ｃが押圧され、スライダ７が自動的に突出するパネル取付具３について説明したが、パネル取付具３は、これに限定されない。例えば、スライダ７、スライドトリガ６などを備えず、略直方体形状のケーシング５の上方に、常時突出した状態の上述の構成の先側部３０が設けられたパネル取付具３としてもよい。この場合は、いわゆるけんどん式に先側部３０をブラケット４に嵌め入れる。そして、ロックピン８を嵌合部７１ａに挿通させて立壁部７１ｃ，７１ｃ間を押し広げれば、両壁部４２，４２の内面４２ａ，４２ａ側に圧接した状態となり、パネル２の上端をしっかりと固定しその状態で保持することができる。
また図では、パネル取付具３がパネル２の上端背面側における角部に設けられた例を示しているが、これに限定されず、パネル２の大きさなどにあわせて適宜取り付けられる。
さらに図ではパネル２の一方の角部にパネル取付具３が取り付けられた例を示しているが、同様のパネル取付具３が他方の角部に取り付けられていることはいうまでもない。
【００１９】
次に、天井１０に取り付けられるブラケット４について説明する。図では、天井１０と壁面１１が交差する入隅部１２における天井１０側角部にブラケット４が取り付けられた例を示しているが、ブラケット４が取り付けられる位置はこれに限定されず、壁面１１から若干離れていても、パネル取付具３の当接部６０ｃを押圧する位置に取り付けられていればよい。
ブラケット４は、パネル２の上端側に開口した開口部４０と、開口部４０に向けて両側から内向きに屈曲した開口縁部４１，４１と、開口部４０を挟んで対向して設けられた両壁部４２，４２、天井１０に固着される天面部４３とを備えている。
【００２０】
ブラケット４の長手方向の長さ寸法は、少なくともパネル取付具３の先側部３０の寸法と同等もしくはそれより大きければよい。よってパネル取付具３の数にあわせて設けられるようにしてもよいし、入隅部１２に沿って長尺に形成されたものとしてもよい。ブラケット４を長尺に形成されたものとした場合は、パネル２を複数取り付ける場合に、隣接するパネル２との左右方向の調整がし易い。
ブラケット４の天井１０への取り付け方法も、特に限定されず、接着してもよいし、ビスなどの固定具で固定するようにしてもよい。
なお、ブラケット４の形状は図例に限定されない。例えば、後記するようにロックピン８で立壁部７１ｃが押し広げられ、鍔状部７１ｂ，７１ｂの圧接部７１ｂａ，７１ｂａが内面４２ａ，４２ａ側に十分に圧接するように設定されれば、開口縁部４１，４１がないブラケット４としてもよい。
【００２１】
ブラケット４の開口部４０の開口寸法（図２（ａ）・Ｄ１参照）は、ロックピン８で立壁部７１ｃが押し広げる前の先側部３０が挿通できる寸法（図２（ａ）・Ｄ２参照）、すなわち、Ｄ１＞Ｄ２に設定される。また、両壁部４２，４２の内面４２ａと内面４２ａの間の寸法（図３（ａ）・Ｄ５参照）は、ロックピン８で立壁部７１ｃが押し広げられたときに内面４２ａ，４２ａ側に圧接する鍔状部７１ｂ，７１ｂの圧接部７１ｂａ，７１ｂａが十分に圧接するように設定される。
【００２２】
以上のように構成されたパネル取付具３によるパネル２の上端の取付要領の一例について、図を参照しながら、説明する。
まず、図１（ａ）に示すようにパネル２の上端をブラケット４及び壁面１１へ近接させていく（図１（ａ）・ｄ１矢印方向参照）。このとき、スライドトリガ６の当接部６０ｃは、ケーシング本体５０の側面よりも壁面１１側に突出する位置で保持されており、フック部６０ｂは、引掛部７２に係止されている。またこのとき、図１（ｂ）に示すようにロックピン８は嵌合部７１ａに半嵌合状態としてもよいし、ブラケット４の開口部４０に先側部３０を挿通させた後にロックピン８を嵌合部７１ａに挿通、嵌合させるようにしてもよい。
【００２３】
パネル２を壁面１１へ向けて押し当てると、当接部６０ｃが最初に壁面１１と接触し、当接部６０ｃが押されて（図２（ａ）・ｄ２矢印方向参照）、スライドトリガ６が回動軸となる軸部５１を中心に反時計回り方向に回動する。
すると、引掛部７２とフック部６０ｂとの係止状態が解除され、被保持部６０ｄが保持壁部５５に当接するとともに当接部６０ｃが壁面１１に当接しスライドトリガ６が時計回りに若干回転した状態で保持される。そしてスライダ本体７０内に収容されていたスライダ７が付勢手段７３による付勢力で押し上げられ、突出する（図２（ａ）及び図２（ｂ）、図２（ｂ）・ｄ３矢印方向参照）。
スライダ７が突出するのにともなって、上方に設けられた先側部３０が上方に移動し、先側部３０がブラケット４の開口部４０を通じ、天面部４３の内面側に当接することでその移動が停止する。このとき、鍔状部７１ｂ，７１ｂの圧接部７１ｂａ，７１ｂａ間寸法・Ｄ２は、ブラケット４の開口部４０寸法・Ｄ１より小さいので、開口縁部４１，４１に引っ掛かることなく開口部４０を通じる。
これにより、パネル２の上下方向が嵌合状態となるが、左右方向にはスライドさせることができる状態となる。よって、パネル２の取付位置の左右方向の調整を行うことができ、隣接して複数のパネル２を取り付ける場合は、目地調整などを行うことができる。
【００２４】
次にこうして先側部３０が、開口部４０を通じ開口縁部４１，４１間に位置する状態でロックピン８の押圧部８ｂを水平方向に押して嵌合部７１ａに差し込むと、立壁部７１ｃ，７１ｃが押し広げられる（図３（ｂ）・ｄ４矢印参照）。
すなわち、ロックピン８を嵌合部７１ａに差し込むことにより、立壁部７１ｃ，７１ｃ間が図２（ａ）のＤ３から、図３（ａ）のＤ４に広がる。すなわち、Ｄ４＞Ｄ３となる。
そして、鍔状部７１ｂ，７１ｂの圧接部７１ｂａ，７１ｂａが両壁部４２，４２の内面４２ａ，４２ａ側に圧接される。このとき、図３（ａ）に示すように圧接部７１ｂａ，７１ｂａ間寸法も、図２（ａ）で示す圧接部７１ｂａ，７１ｂａ間寸法より押し広げられてＤ２からＤ６となる。そして圧接部７１ｂａ，７１ｂａ間寸法Ｄ６は、両壁部４２，４２の内面４２ａと内面４２ａの間の寸法・Ｄ５とほぼ同じ、もしくは若干Ｄ６＞Ｄ５になる。
これにより、パネル２が前後左右にも動かない状態で保持される。またロックピン８が差し込まれて立壁部７１ｃ，７１ｃが押し広がることで、スライダ本体７０とケーシング本体５０との間の隙間がなくなるため、スライダ７の上下動もしっかり規制することができる。  
【００２５】
以上のパネル取付構造１によれば、パネル２の上端を固定する際にネジなどの固定具を使用することなく、天井高さの歪みや誤差なども吸収して、簡単かつ確実にパネル２の上端を固定しその状態を保持することができる。またこのように壁面１１に向けてパネル２を押し当てていく施工で、スライダ７が自動的に突出するので、床面から天井近くまで高さ寸法があるようなパネル２の場合、パネル２を持ち上げることなく、壁面１１側に向けて倒していけば、パネル２の上端を容易に取り付け固定することができる。
【００２６】
なお、本実施形態に係るパネル取付構造１において、パネル２の上端の固定を取り外す要領については詳しく説明しないが、ロックピン８を嵌合部７１ａから引き抜けば、圧接部７１ｂａ，７１ｂａの両壁部４２，４２の内面４２ａ，４２ａへの圧接状態が解除される。よって、パネル２の上端の固定状態を容易に解除することができる。
【００２７】
次に、本発明に係る他の実施の形態について、図面を参照しながら説明する。
図５〜図９を参照しながら、第２実施形態に係るパネル取付構造の一例について説明する。
なお、上述の第１実施形態との相違点について主に説明し、同様の構成については、同一符号を付し、その説明を省略または簡略に説明する。
本実施形態に係るパネル取付構造１に用いられるパネル取付具３は、両壁部４２，４２の内面４２ａ，４２ａ側に圧接した状態で固定される先側部３０を有している点は共通するが、先側部３０の構成が上述の実施形態とは異なる。
先側部３０は、縦軸周りに回転自在に構成されたロック部材９の上端に設けられるとともに、ブラケット４の両壁部４２，４２の内側４２ａ面に圧接されるように鍔状に形成された係止部９０を有している。この先側部３０を開口部４０に通じさせた後、ロック部材９を回転させることにより、係止部９０が両壁部４２，４２の内面４２ａ，４２ａ側に圧接した状態で嵌合し固定される。
以下、詳しく説明する。
【００２８】
パネル取付具３は、ケーシング５と、スライドトリガ６と、スライダ７と、ロック部材９とを備えている。
ケーシング５、スライドトリガ６の構成は上述の実施形態と同様である。またスライダ７もほとんどが上述の実施形態と同様であるが、スライダ本体７０のパネル２の背面と対向して設けられる側面にスライダスリット部７４，７４と、スライダ片７５と、ロック部材９が挿通されるロック部材挿通部７６（図８参照）を備えている点が相違する。
スライダスリット部７４，７４は、側面縁部から縦方向に２本形成されており、スライダスリット部７４，７４の間には一片のスライダ片７５が形成されている。スライダ本体７０の上面中央のスライダ片７５側には、有底略円筒状に形成されたロック部材挿通部７６が形成されており、ロック部材９の軸部９２の形状に合わせて形成されている。またロック部材挿通部７６には、縦溝部７６ａが形成されている。縦溝部７６ａは、縦方向に凹状に形成され、軸部９２が一定方向、（図例のものは、時計回り方向）に回転するように形成された回止部９２ａと嵌め合わされるように形成されている。
【００２９】
ロック部材９は、係止部９０と、突起部９１と、軸部９２とを備えている。
軸部９２は、断面視において略長円形状に形成され、側面の縦方向には、上述の回止部９２ａが縦方向に凸条に形成されている。この回止部９２ａは、上述のように縦溝部７６ａに嵌めいれられるため、ロック部材９の回り止め機能の他、位置決めの役目も担う。さらに、回止部９２ａは、軸部９２を略９０度回転させたときには、スライド片７５を押圧し、外方向に撓らせ（図７（ｂ）参照）、ロック部材９とスライダ本体７０との隙間をなくす機能も有している。これにより、スライダ本体７０とケーシング本体５０との間の隙間もなくなるため、スライダ７の上下動を阻止し規制することができる。
突起部９１は、軸部９２の側面から横方向に突出して設けられた略円筒体であり、この突起部９１を操作してロック部材９を回転させることができる。
【００３０】
係止部９０は、図９（ａ）〜（ｃ）に示すように平面視において、六角形状をなし、ブラケット４に嵌め合わされるように形成されている。図中、９０ａは、圧接部を示している。
図９（ｂ）及び（ｃ）では、２点鎖線でブラケット４を示している。
パネル２の上端をブラケット４に固定する前は、突起部９１がブラケット４の長手方向に対して略直交方向になるよう配置され、係止部９０は、図９（ｂ）に示すよう、その幅方向寸法・Ｄ７は、ブラケット４の開口部４０の開口寸法・Ｄ１よりも小さくなるよう設定される。これにより、ロック部材９の先側、すなわちパネル取付具３の先側部３０をブラケット４の開口部４０に通じさせることができる。
またパネル２の上端をブラケット４に固定する際には、突起部９１がブラケット４の長手方向に対して略平行になるように操作され回動する。このとき、図９（ｃ）に示すように圧接部９０ａ，９０ａ間寸法・Ｄ８が、両壁部４２，４２の内面４２ａと内面４２ａの間の寸法・Ｄ５とほぼ同じ、もしくは若干Ｄ８＞Ｄ５になるように形成されている。これにより、圧接部９０ａ，９０ａが両壁部４２，４２の内面４２ａ，４２ａ側に圧接し嵌合させることができ、パネル２の上端をしっかりと固定することができる。
【００３１】
以上、ここに示すパネル取付具３も上述の実施形態と同様に、パネル２を壁面１１に押し当てることで、当接部６０ｃが押圧され、スライダ７が自動的に突出する例であるが、パネル取付具３の構成は、これに限定されない。例えば、スライダ７、スライドトリガ６などを備えず、略直方体形状のケーシング５の上方に、常時突出した状態の上述の構成の先側部３０が設けられたパネル取付具３としてもよい。この場合は、いわゆるけんどん式に先側部３０をブラケット４に嵌め入れる。そして、ロック部材９を回転させて、圧接部９０ａ，９０ａが両壁部４２，４２の内面４２ａ，４２ａ側に圧接した状態となるよう構成すれば、パネル２の上端をしっかりと固定しその状態で保持することができる。
また図では、パネル取付具３がパネル２の上端背面側における角部に設けられた例を示しているが、これに限定されず、パネル２の大きさなどにあわせて適宜取り付けられる。
さらに図ではパネル２の一方の角部にパネル取付具３が取り付けられた例を示しているが、同様のパネル取付具３が他方の角部に取り付けられていることはいうまでもない。
【００３２】
以上のように構成されたパネル取付具３によるパネル２の上端の取付要領の一例について、図を参照しながら、説明する。
まず、図５（ａ）に示すようにパネル２の上端をブラケット４及び壁面１１へ近接させていく（図５（ａ）・ｄ５矢印方向参照）。このとき、スライドトリガ６の当接部６０ｃは、ケーシング本体５０の側面よりも壁面１１側に突出する位置で保持されており、フック部６０ｂは、引掛部７２に係止されている。またこのとき、図５（ｂ）に示すようにロック部材９の突起部９１は、パネル２の幅方向に対して略直交する方向になるよう設定されている。
【００３３】
パネル２を壁面１１へ向けて押し当てると、当接部６０ｃが最初に壁面１１と接触し、当接部６０ｃが押されて（図６（ａ）・ｄ６矢印方向参照）、スライドトリガ６が回動軸となる軸部５１を中心に反時計回り方向に回動する。
すると、引掛部７２とフック部６０ｂとの係止状態が解除され、被保持部６０ｄが保持壁部５５に当接するともに当接部６０ｃが壁面１１に当接しスライドトリガ６が時計回りに若干回転した状態で保持される。そしてスライダ本体７０内に収容されていたスライダ７が付勢手段７３による付勢力で押し上げられ、突出する（図６（ｂ）・ｄ７矢印方向参照）。
スライダ７が突出するのにともなって、上方に設けられた先側部３０が上方に移動し、先側部３０がブラケット４の開口部４０を通じ（図６（ａ）、図９（ｂ）参照）、天面部４３の内面側に当接することでその移動が停止する。
これにより、パネル２の上下方向が嵌合状態となるが、左右方向にはスライドさせることができる状態となる。よって、パネル２の取付位置の左右方向の調整を行うことができ、隣接して複数のパネル２を取り付ける場合は、目地調整などを行うことができる。
【００３４】
次にこうして先側部３０が、開口部４０を通じ開口縁部４１，４１間に位置する状態ででロック部材９の突起部９１を操作して軸部９２を略９０度、時計回りに回転させる（図６（ｂ）・ｄ８矢印方向参照）。
すると、圧接部９０ａ，９０ａが両壁部４２，４２の内面４２ａ，４２ａ側に圧接し嵌合する（図７（ａ）、図９（ｃ）参照）。これにより、パネル２が前後左右にも動かない状態で保持される。
またロック部材９の上述の回転により、軸部９２の回止部９２ａが、スライド片７５を外方向に押圧し撓らせる（図７（ｂ）参照）。
これにより、上述したようにロック部材９とスライダ本体７０との隙間がなくなり、これに伴って、スライダ本体７０とケーシング本体５０との間の隙間がなくなるため、スライダ７の上下動を阻止し、しっかり規制することができる。  
【００３５】
なお、本実施形態に係るパネル取付構造１において、パネル２の上端の固定を取り外す要領については詳しく説明しないが、ロック部材９の突起部９１を操作して、略９０度反時計回りに回転させる。すると、圧接部９０ａ，９０ａの両壁部４２，４２の内面４２ａ，４２ａ側への圧接状態が解除され、パネル２の上端の固定状態を容易に解除することができる。
【００３６】
以上のパネル取付構造１によれば、パネル２の上端を固定する際にネジなどの固定具を使用することなく、天井高さの歪みや誤差なども吸収して、簡単かつ確実にパネル２の上端を固定しその状態を保持することができる。またこのように壁面１１に向けてパネル２を押し当てていく施工で、スライダ７が自動的に突出するので、床面から天井近くまで高さ寸法があるようなパネル２の場合、パネル２を持ち上げることなく、壁面１１側に向けて倒していけば、パネル２の上端を容易に取り付け固定することができる。
【００３７】
以上、各実施形態で説明したパネル２、パネル取付具３、ブラケット４の形状や構成、各構成部材の形状や構成などは上述の例に限定されない。
【符号の説明】
【００３８】
１      パネル取付構造
２      パネル
３      パネル取付具
３０      先側部
４      ブラケット
４０      開口部
７１      スリット部
８      ロックピン
９      ロック部材
【図１】
2012202021.tif 000003
【図２】
2012202021.tif 000004
【図３】
2012202021.tif 000005
【図４】
2012202021.tif 000006
【図５】
2012202021.tif 000007
【図６】
2012202021.tif 000008
【図７】
2012202021.tif 000009
【図８】
2012202021.tif 000010
【図９】
2012202021.tif 000011